(57)【要約】【課題】底部に載せた載置品の転がりを低減することができる包装用容器を提供する。【解決手段】周縁の内、前後に相対する一部の縁をそれぞれ中央側へずらして形成された底部１０と、底部１０の周縁（一部の縁を除く。）から立ち上がった側面部２０と、対向して設けられていて、それぞれ底部１０の一部の縁及び側面部２０に隣接し更に容器内側へ突き出た一対の突出部３０と、を備え、突出部３０は容器内側へ張り出した曲面部を複数備えている。また、底部１０の前側又は後側の縁の左右方向に沿った全長の中で、側面部２０と突出部３０との割合は、好ましくは、条件（側面部：突出部＝０．５〜５：１）を満たす。【選択図】図１
2017171391.tif 000002
【特許請求の範囲】
【請求項１】
周縁の内、前後に相対する一部の縁をそれぞれ中央側へずらして形成された底部と、
上記底部の周縁（上記一部の縁を除く。）から立ち上がった側面部と、
対向して設けられていて、それぞれ上記底部の一部の縁及び上記側面部に隣接し更に容器内側へ突き出た一対の突出部と、
を備えたことを特徴とする、包装用容器。
【請求項２】
上記突出部は上記容器内側へ張り出した曲面部を複数備えていることを特徴とする、請求項１に記載の包装用容器。
【請求項３】
上記底部の前側又は後側の縁の左右方向に沿った全長の中で、上記側面部と上記突出部との割合が以下の条件（１）を満たすことを特徴とする、請求項１又は請求項２に記載の包装用容器。
側面部：突出部＝０．５〜５：１    （１）
【請求項４】
上記側面部の上下方向に沿った寸法が０．５〜５［ｃｍ］であることを特徴とする、請求項１から請求項３の何れかに記載の包装用容器。
【請求項５】
上記底部は中央側から上記突出部と隣接する周縁側へ徐々に低くなる斜面部を備えていることを特徴とする、請求項１から請求項４の何れかに記載の包装用容器。
【請求項６】
上記底部の一部の縁が、左右方向に距離を置いて複数設けられていて、上記一対の突出部を複数備えていることを特徴とする、請求項１から請求項５の何れかに記載の包装用容器。
【請求項７】
上記底部は、上記周縁の内、左右に相対する他の一部の縁を中央側へずらして形成され、
上記側面部は、上記周縁（上記一部の縁と上記他の一部の縁とを除く。）から立ち上っており、
対向して設けられていて、それぞれ上記底部の他の一部の縁及び上記側面部に隣接し更に容器内側へ突き出た他の一対の突出部をさらに備えたことを特徴とする、請求項１又は請求項２に記載の包装用容器。
【請求項８】
以下の条件（２）及び（３）を満たした状態で、円筒状又は円柱状の載置品を載せた横長の包装用容器を搬送機構で水平方向へ搬送することを特徴とする、包装用容器の搬送方法。
（２）上記載置品の外周面が上記包装用容器の長手方向の中間で底部を介して対向した一対の突出部の少なくとも一方に当接し或いは近接していること。
（３）上記載置品の外周面が当接し或いは近接する突出部側を搬送先へ向けていること。
【発明の詳細な説明】
【技術分野】
【０００１】
本発明はプラスチック製の包装用容器の構造の関する。
【背景技術】
【０００２】
スーパーマーケットでは、野菜、果物などの食料品は、包装された状態で、陳列棚に並べられて販売される場合がある。野菜や果物を所定のサイズにカットした後、袋に入れたり、容器に入れたりする包装が、バックヤードで行われている。スーパーマーケットへ輸送される食料品であれば、加工と包装とが製造センターで行われている。
【０００３】
容器としては、プラスチック製のワンウェイ容器が多く利用されている。例えば、トウモロコシ、長芋、サツマイモなどの長い食料品は、横長のトレー型の容器に寝かせた状態でラップを掛けられて、店頭に並べられている。
【０００４】
図１７（ａ）に示すように、この種の従来の包装用容器８０は、平坦で横長に形成されていて食料品を載せる底部８１と、底部８１の周縁から立ち上がっていて高さを揃えて形成された側面部８２と、を備えて、浅く形成されている。このようなトレー型の容器が特許文献１に開示されている。
【先行技術文献】
【特許文献】
【０００５】
【特許文献１】特開２００７−２９７０８２号公報
【発明の概要】
【発明が解決しようとする課題】
【０００６】
食料品を載せた包装用容器８０にラップ掛けを包装機械によって行う場合、食料品を包装用容器８０の長手方向に沿わせて底部８０に載せた状態で、包装用容器８０を長手側の側面部８２を搬送先へ向けてベルトコンベアなどの搬送機構で水平方向へ搬送すると、図１７（ａ）に示すように包装用容器８０の中で食料品９０が大きく動くことが起こり得る。例えば、食料品９０がベルトコンベアの始動、停止等に伴う慣性力によって実線で示す位置から破線で示す側面部側の位置へ向けて転がる。
【０００７】
そして、側面部８２が食料品９０の動きを抑えることができないと、図１７（ｂ）に示すように底部８１が持ち上がるように包装用容器８０が傾いて、食料品９０が包装用容器８０の外に出てしまう虞がある。これでは、包装機械でのラップ掛けを妨げることになってしまう。
【０００８】
また、包装機械に依らず、例えばスーパーマーケットのバックヤードで食料品を手作業で包装用容器に載せた後にラップ掛けを行う際にも、円柱状の食料品９０が底部上で転がることが起こり得る。
【０００９】
このようなプラスチック製の包装用容器８０にラップ掛けを行えない事態は、食料品９０に限らず、円柱状などに形成されたその他の物品でも起こり得る。
【００１０】
本発明は、底部に載せた載置品の転がりを低減することができる包装用容器と、その搬送方法を提供することを目的とする。
【課題を解決するための手段】
【００１１】
本発明の包装用容器は、周縁の内、前後に相対する一部の縁をそれぞれ中央側へずらして形成された底部と、上記底部の周縁（上記一部の縁を除く。）から立ち上がった側面部と、対向して設けられていて、それぞれ上記底部の一部の縁及び上記側面部に隣接し更に容器内側へ突き出た一対の突出部と、を備えたことを特徴とする。
【００１２】
本発明の包装用容器を搬送する方法は、以下の条件（ｉ）及び（ｉｉ）を満たした状態で、円筒状又は円柱状の載置品を載せた横長の包装用容器を搬送機構で水平方向へ搬送することを特徴とする。
（ｉ）上記載置品の外周面が上記包装用容器の長手方向の中間で底部を介して対向した一対の突出部の少なくとも一方に当接し或いは近接していること。
（ｉｉ）上記載置品の外周面が当接し或いは近接する突出部側を搬送先へ向けていること。
【００１３】
さらに、本発明の搬送方法は、突出部がそれぞれ、載置品の外周面に当接し或いは近接させて載せることが望ましい。
【発明の効果】
【００１４】
本発明によれば、載置品を載せた状態で突出部が載置品に当たって或いは近接して配置されることで、載置品の転がりを抑えることができる。
【図面の簡単な説明】
【００１５】
【図１】本発明の第一実施形態の包装用容器を示す斜視図である。
【図２】（ａ）と（ｂ）は本発明の第一実施形態の包装用容器を示す平面図である。
【図３】（ａ）は図１の包装用容器の底部を示す平面図であり、（ｂ）は底部の内、中間領域の前縁周辺を拡大した平面図である。
【図４】図２（ａ）のＡ−Ａ線にった包装用容器の断面図である。
【図５】本発明の実施例の包装用容器の使用方法を説明するための図である。
【図６】本発明の第二実施形態の包装用容器の端面図である。
【図７】本発明の第三実施形態の包装用容器の断面図である。
【図８】本発明の第四実施形態の包装用容器を示す斜視図である。
【図９】本発明の第四実施形態の包装用容器を示す平面図である。
【図１０】本発明の第四実施形態の包装用容器を示す平面図である。
【図１１】図８の包装用容器の底部を示す平面図である。
【図１２】本発明の第五実施形態の包装用容器を示す斜視図である。
【図１３】本発明の第五実施形態の包装用容器を示す平面図である。
【図１４】本発明の第五実施形態の包装用容器を示す平面図である。
【図１５】図１２の包装用容器の底部を示す平面図である。
【図１６】図１３のＡ１−Ａ１線に沿った包装用容器の端面図である。
【図１７】（ａ）と（ｂ）は従来の包装用容器を示す図である。
【発明を実施するための形態】
【００１６】
（第一実施形態）
図１は本発明の第一実施形態の包装用容器１を示す斜視図である。図２（ａ）は包装用容器１の平面図であり、図２（ｂ）は包装用容器１の各部の領域を示す平面図である。包装用容器１は、底部１０と、底部１０を囲うように設けられた側面部２０及び突出部３０と、側面部２０及び突出部３０から外側へ延びたフランジ部４０とから構成されている。
【００１７】
底部１０は平坦で横長に形成されている。図３は底部１０を示す平面図であり、この図に示すように２本の一点鎖線で区切ると、底部１０は三つの領域が横に連なって構成されている。以下、左から順に、左領域１０Ｌ、中間領域１０Ｍ、右領域１０Ｒと呼ぶ。
【００１８】
左領域１０Ｌは、左右に延びた前縁１１０Ｆと、前縁１１０Ｆと前後に並んで設けられていて左右に延びた後縁１１０Ｂと、前縁１１０Ｆと後縁１１０Ｂの左側の端を結ぶよう前後に延びた左縁１１０Ｌと、を備えて矩形型に形成されている。
【００１９】
右領域１０Ｒは、左領域１０Ｌと対称に形成されていて、前側と後側で左右に延びた前縁１２０Ｆと後縁１２０Ｂと、前縁１２０Ｆと後縁１２０Ｂの右側の端を結ぶよう前後に延びた右縁１２０Ｒと、を備えている。
【００２０】
左領域１０Ｌと右領域１０Ｒの前縁１１０Ｆ，１２０Ｆは、横に並ぶように前後の位置を揃えて設けられている。後縁１１０Ｂ，１２０Ｂも同様に設けられていて、他方の延長線上に配置されている。
【００２１】
図３（ａ）に示すように、中間領域１０Ｍは、前側と後側で左右に延びた前縁１３０Ｆと後縁１３０Ｂとを備え、これらの縁の間に広がった矩形型の領域として形成されている。底部１０の周縁の内、前後に相対する縁の一部として中間領域１０Ｍの前縁１３０Ｆと後縁１３０Ｂとが、左領域１０Ｌと右領域１０Ｒの前縁１１０Ｆ，１２０Ｆや後縁１１０Ｂ，１２０Ｂと比べると、中央側へずれて形成されていて、中間領域１０Ｍは、前後方向に沿った寸法を短く設定した領域として形成されている。
【００２２】
図３（ｂ）は中間領域１０Ｍの前縁周辺を拡大した平面図である。中間領域１０Ｍの前縁１３０Ｆは、左領域１０Ｌと右領域１０Ｒの前縁１１０Ｆ，１２０Ｆから底部１０の中央側へ延びた侵入縁１３１Ｌ，１３１Ｒと、底部１０の中央寄りに設けられており更に左右の侵入縁１３１Ｌ，１３１Ｒを結ぶ直線状の中央寄縁１３２と、を備えている。侵入縁１３１Ｌ，１３１Ｒは、図３（ｂ）に示すように、曲線状に形成されているが、直線状に前後に或いは斜めに延びるように設けられてもよい。
【００２３】
中間領域１０Ｍの前縁１３０Ｆと後縁１３０Ｂとが対称に形成されていて、後縁１３０Ｂも、侵入縁１３１Ｌ，１３１Ｒと中央寄縁１３２とを備えている。
【００２４】
側面部２０が、図２（ａ）と（ｂ）とに示すように、底部１０の周縁の内、中間領域１０Ｍで前後に相対する縁（前縁１３０Ｆ，後縁１３０Ｂ）を除いて、左領域１０Ｌと右領域１０Ｒの縁から立ち上がっている。なお、図２（ｂ）では、クロスハッチングを付した部分が側面部２０の領域を表している。
【００２５】
側面部２０の高さは、数値は限定されるものではないが、例えば１．５〜５．０ｃｍの範囲である。また図示例では側面部２０は上端部の位置を揃えて形成されているが、部分的に高さを違えて形成してもよい。なお、図１の破線が側面部２０の上端部２１０を表している。
【００２６】
包装用容器１では、図２（ａ）及び（ｂ）に示すように、左右の側面部２０が距離を置いて設けられていて、底部１０の前側で突出部３０が左右の側面部２０をつなぐように設けられている。図２（ｂ）では、シングルハッチングを付した部分が突出部３０の領域を表している。この突出部３０は、側面部２０に隣接すると共に底部１０の中央領域１０Ｍの前縁１３０Ｆに隣接している。底部１０の後側でも、他の突出部３０が、同様に、左側と右側の側面部２０をつなぐように設けられている。
【００２７】
前側の突出部３０は、高さを側面部２０と揃えて形成されていて、図１に示すように、左領域１０Ｌの前側の側面部２０の上端部２１０を右方向へ延ばした延長線上に設けられた上端部３１０を備えている。図１では上端部３１０を二点鎖線で表している。
【００２８】
図４は図２（ａ）のＡ−Ａ線に沿った包装用容器１の断面図であり、突出部３０は、中間領域１０Ｍの前縁１３０Ｆから上端部３１０までに亘る部分が容器内側へ突き出すように形成されていて、複数の曲面部３２０を備えている。
【００２９】
曲面部３２０は、底部１０の長手方向に沿って延びていて、さらに図４に示すように断面を容器内側へ張り出す弧状に形成されている。隣り合う曲面部３２０は入隅部３２１を介してつながっており、各曲面部３２０が高さ方向と前後方向とに位置を違えて設けられて、突出部３０は全体で断面が階段状に形成されている。図示例の突出部３０は左右方向へ筋状に延びた入隅部３２１を間に挟んで二つの曲面部３２０を設けている。
【００３０】
後側の突出部３０は、前側の突出部３０と対称に形成されていて、距離を置いて対向するように設けられている。包装用容器１の内側では長手の途中部分が一対の突出部３０によって幅狭部５０として構成されている。
【００３１】
次に、幅狭部５０を構成する突出部３０の大きさ等について詳述する。
図２（ｂ）に示すように、底部１０の前側又は後側で、左右方向に沿った縁の全長をＷ１とし、側面部２０の長さをＷ２とし、突出部３０の長さをＷ３とすると、図示例の構成例では全長Ｗ１の中で側面部２０と突出部３０との割合が同じ或いは略同じに設定されているが、これに限らず以下の条件（１）を満たす範囲で側面部２０と突出部３０との割合を変えて包装用容器１を構成してもよい。
【００３２】
側面部２０の長さ（Ｗ２）：突出部３０の長さ（Ｗ３）＝0.5〜5：1    （１）
【００３３】
ここで、Ｗ１は、縁が中央側へずれて設けられた中間領域１０Ｍを含んで、底部１０の左縁１１０Ｌから右縁１２０Ｒまでの直線距離とする。左領域１０Ｌと右領域１０Ｒとに設けられる側面部２０の内、前側又は後側に設けられる側面部２０の左右方向に沿った寸法をそれぞれＷ２１、Ｗ２２とし、これらの和を側面部２０の長さＷ２（＝Ｗ２１＋Ｗ２２）とする。また、突出部３０の長さＷ３は左右方向へ沿った寸法である。
【００３４】
また、図２（ｂ）に示すように、底部１０の広い側（左領域１０Ｌと右領域１０Ｒ）での前後方向に沿った寸法をＬ１とし、狭い側（中間領域１０Ｍ）での寸法をＬ２とすると、図示例の包装用容器１では、Ｌ１がＬ２の約２倍であるが、この数値に限定されるものではなく、以下の条件（２）を満たす範囲で、突出部３０の間隔を変えて包装用容器１を構成してもよい。また図示例では、中間領域の前縁１３０Ｆのずれ量（Ｄ１）は、突出部３０の左右方向の長さ（Ｗ３）より小さく設定されている。
【００３５】
左領域（右領域）の寸法（Ｌ１）：中間領域の寸法（Ｌ２）＝1.9〜2.1：1  （２）
【００３６】
さらに、図４に示すように、側面部２０の上下方向に沿った寸法（高さ）をＨ１とし、突出部３０を構成する曲面部３２０の内、底部１０に隣接した最下段の曲面部３２０の上下方向に沿った寸法（高さ）をｈ２１とすると、図示例ではｈ２１がＨ１を半分にした寸法より大きく設定されているが、この数値に限定されるものではなく、以下の条件（３）を満たす範囲で、最下段の曲面部３２０の高さｈ２１を変えて包装用容器１を構成してもよい。
【００３７】
側面部の高さ（Ｈ１）：最下段の曲面部の高さ（ｈ２１）＝1.4〜1.6：1    （３）
【００３８】
図示例の突出部３０では、最下段の曲面部３２０の上下方向に沿った寸法ｈ２１が高い側の曲面部３２０の上下方向に沿った寸法ｈ２２より大きく、また前後方向に沿った寸法も低い側が大きく設定（Ｌ２１＞Ｌ２２）されて、二つの曲面部３２０が異なる形に構成されているが、同じ曲面として構成されてもよい。また、低い側の曲面部３２０が、高い側の曲面部３２０と比べて、図２（ａ）に示すように左右の方向に沿った寸法（長さ）を小さく形成されて、突出部３０が平面視で容器内側へ先細に形成されているが、各曲面部３２０の長さを同じに設定してもよい。
【００３９】
フランジ部４０が、図１と図２とに示すように、側面部２０と突出部３０の上端部２１０，３１０から外側へ延びて形成されている。フランジ部４０は、図４に示すように、その全体に亘って断面を上方へ凸型に形成した頂部４１０と、頂部４１０から横へ突き出た突出縁部４２０と、から構成されている。
【００４０】
包装用容器１では、底部１０と側面部２０と突出部３０とフランジ部４０とが一体に樹脂材で構成されている。材料は限定されるものではないが、ポリオレフィン系樹脂、ポリスチレン系樹脂、またはポリエステル系樹脂を利用することができる。包装用容器１を発泡体で構成する場合にはブタンなどの発泡剤を含んだ原反シート（ポリスチレンペーパー）を２次発泡させて、成型を行う。成型の際に、例えばポリスチレンペーパーをヒーター内で予備加熱を行い、その後金型を用いて真空引き及び冷却して容器状に賦形する。裁断装置を用いて成形品を分離すると、包装用容器１が完成する。
【００４１】
包装用容器１の形状や寸法は、図示例の大きさやその比率に限定されるものではない。包装用容器１の各部の厚みも、特に限定されるものではないが２ｍｍ〜３．５ｍｍである。なお、包装用容器１は、発泡体の表面にフィルムを重ねて構成してもよい。
【００４２】
また、包装用容器１は、ＰＥＴ等の樹脂製のシート材を成型で熱変形させて製造され、さらに全体を透明に構成してもよい。成型後の包装用容器１の各部の厚みは、特に限定されるものではないが０．０５ｍｍ〜１．０ｍｍである。
【００４３】
包装用容器１によれば、底部１０に載置品として食料品或いはその他の物品を載せ、さらにそれらを包むようにラップを掛けることができる。さらに、包装用容器１では、突出部３０が容器内側へ突き出ていることで、底部１０に載せた載置品に当たって、その動きを抑えることができる。
【００４４】
（実施例）
実施例の包装用容器１は、縦１０ｃｍ、横１９ｃｍ、高さ２ｃｍの大きさで、横長のトレー型に形成されている。このトレー型の包装用容器１では、底部１０で左右の領域の前後方向の寸法（Ｌ１）が６ｃｍ、突出部３０の左右方向に沿った寸法（Ｗ３）が７ｃｍ、中間領域１０Ｍの前後方向の寸法（Ｌ２）が３ｃｍ、前縁１３０Ｆや後縁１３０Ｂを左領域１０Ｌの前縁１１０Ｆや後縁１１０Ｂから前後へ位置をずらした距離（Ｄ１）が１．５ｃｍ、底部１０の全長Ｗ１の中で突出部３０と側面部２０との割合（Ｗ２：Ｗ３）がほぼ均等、に設定されている。突出部３０が曲面部３２０を二つ備えて、低い側の曲面部３２０を高い側の曲面部３２０より上下方向と前後方向に沿った寸法をそれぞれ大きく設定している（ｈ２１＞ｈ２２，Ｌ２１＞Ｌ２２）。また、包装用容器１では、幅狭部５０が長手の中間に設けられている。
【００４５】
このトレー型の包装用容器１では、底部１０の幅狭部５０より径の大きい円柱状の食材を載せて、利用することができる。ここで、円柱状とは、全長に亘って太さが一定であるものに限らず、端部の径が小さく或いは長手方向で径が順次変わるような長いものなどで、外周面が当たるように着地した状態で転がり易い形を含む。また、中が空洞の円筒状のものも同様に載せることができる。
【００４６】
例えば、直径が１０ｃｍ程度のレンコンを１７ｃｍ程度の長さにカットし、底部１０の長手方向に沿わせて載せることができる。この場合、図５（ａ）に示すように、レンコン６１の外周面を前側の突出部３０に当て、その反対では後側の突出部３０に隙間ＣＬを介して近接させて、レンコン６１を底部１０に載せる。
【００４７】
また、底部１０の幅狭部５０より径の小さい食料品として、例えば直径が５ｃｍ程度の長芋６２Ａ，６２Ｂを１７ｃｍ程度の長さにカットしたものを２本載せることができる。この場合、図５（ｂ）に示すように、一方の長芋６２Ａを前側の突出部３０に寄せて底部１０に直に置き、他方の長芋６２Ｂを一方の長芋６２Ａに当てながら後側の突出部３０の上に載せる。
【００４８】
さらに、底部１０の幅狭部５０より非常に径の大きな食料品として、例えば太いサツマイモ６３であれば、図５（ｃ）に示すように、外周面の一部を前側の突出部３０で高い側の曲面部３２０に当てながら底部１０に載せ、その反対では後側の突出部３０に隙間ＣＬを介して近接させる。
【００４９】
包装用容器１によれば、長い食料品６１，６２Ａ，６２Ｂ，６３を載せた状態で動かしても、前側の突出部３０が食料品の外周面に当たっていて、さらに後側の突出部３０が近接していることで、容器内側で食料品の転がりを抑えることができる。これにより、上記のように食料品を載せた包装用容器１を取り扱う際に便利である。
【００５０】
例えば、包装機械でラップを掛けるときには、図５（ａ）に示すように食料品の外周面に当たる或いは近接する突出部３０側を矢印Ｂに示す搬送先へ向けて、ベルトコンベア等で搬送しても、食料品が転がって包装用容器１の外に出てラップ掛けを妨げる事態を回避することができる。なお、図中の一点鎖線が搬送機構７０を部分的に表している。
【００５１】
（第二実施形態）
図６は本発明の第二実施形態の包装用容器２を示す図であり、特に長手方向の中間での断面形状を表している。第二実施形態の包装用容器２は、第一実施形態の包装用容器１と比べて、底部１０Ａの構成が異なる。底部１０Ａは、中央側が突出部３０と隣接する周縁側より高い位置（Δｈ′＞０）に設けられていて、中央側から周縁側へ徐々に低くなる斜面部１５０を備えている。
【００５２】
包装用容器２では、食料品を底部１０に載せると、食料品が斜面部１５０の傾きによって自然と前後の突出部３０の何れかへ向けて転がって当接する。包装用容器２によれば、一層食料品の転がりを防止することができる。
【００５３】
（第三実施形態）
図７は本発明の第三実施形態の包装用容器３を示す図であり、特に長手方向の中間での断面形状を表している。第三実施形態の包装用容器３は、第一実施形態の包装用容器１と比べて、突出部３０Ａの構成が異なる。突出部３０Ａは、左右方向へ延びた一つの曲面部３２０で構成されている。
【００５４】
図示例の突出部３０Ａは、広い領域（左領域１０Ｌと右領域１０Ｒ）に設けられる側面部２０より低く形成されているが、側面部２０と高さを揃えて構成されてもよい。また、突出部３０Ａは、第一実施形態の曲面部３２０と同様に、条件（１）から（３）を満たして構成されることが望ましい。
【００５５】
突出部３０Ａの外側は、左右の側面部２０と高さが揃うよう例えば延長壁部３５０が突出部３０Ａの上端部３１０Ａから立ち上がっている。このような包装用容器３は、第一実施形態と同様に、食料品の転がりを防止することができる。
【００５６】
（第四実施形態）
図８は本発明の第四実施形態の包装用容器４を示す斜視図である。図９は包装用容器４の平面図であり、図１０は包装用容器４の各部の領域を示す平面図である。包装用容器４は、第一実施形態の包装用容器１と同様に、横長で浅いトレー型に構成されているが、二対の突出部３０を長手方向に距離を置いて設けている。この包装用容器４は、底部１０Ｂと、底部１０Ｂを囲うように設けられた側面部２０及び突出部３０と、側面部２０及び突出部３０から外側へ延びたフランジ部４０とから構成されている。
【００５７】
底部１０Ｂは平坦で横長に形成されている。図１１は底部１０Ｂを示す平面図であり、この図に示すように４本の一点鎖線で区切ると、底部１０Ｂは五つの領域が横に連なって構成されている。以下、左から順に、左領域１０Ｌ、左側の幅狭領域１０Ｎ、中間領域１０Ｍ、右側の幅狭領域１０Ｎ、右領域１０Ｒと呼ぶ。
【００５８】
左領域１０Ｌは、左右に延びた前縁１１０Ｆと、前縁１１０Ｆと前後に並んで設けられていて左右に延びた後縁１１０Ｂと、前縁１１０Ｆと後縁１１０Ｂの左側の端を結ぶよう前後に延びた左縁１１０Ｌと、を備えて矩形型に形成されている。
【００５９】
右領域１０Ｒは、左領域１０Ｌと対称に形成されていて、前側と後側で左右に延びた前縁１２０Ｆと後縁１２０Ｂと、前縁１２０Ｆと後縁１２０Ｂの右側の端を結ぶよう前後に延びた右縁１２０Ｒと、を備えている。
【００６０】
中間領域１０Ｍは、前側と後側で左右に延びた前縁１３０Ｆと後縁１３０Ｂと、を備えている。中間領域１０Ｍは、前後方向に沿った寸法を左領域１０Ｌ及び右領域１０Ｒと同じに設定した幅の広い幅広領域として形成されている。
【００６１】
左領域１０Ｌと右領域１０Ｒと中間領域１０Ｍの前縁１１０Ｆ，１２０Ｆ，１３０Ｆは、横に並ぶように前後の位置を揃えて設けられている。後縁１１０Ｂ，１２０Ｂ，１３０Ｂも同様に、一本の仮想の線上に設けられている。
【００６２】
図１１に示すように、左右の幅狭領域１０Ｎは、前側と後側で左右に延びた前縁１４０Ｆと後縁１４０Ｂとを備え、これらの縁の間に広がった矩形型の領域として形成されている。底部１０Ｂの周縁の内、前後に相対する縁の一部として幅狭領域１０Ｎの前縁１４０Ｆと後縁１４０Ｂとが、左領域１０Ｌと右領域１０Ｒ及び中間領域１０Ｍの前縁１１０Ｆ，１２０Ｆ，１３０Ｆや後縁１１０Ｂ，１２０Ｂ，１３０Ｂと比べると、中央側へずれて形成されていて、幅狭領域１０Ｎは、前後方向に沿った寸法を短く設定した幅の狭い領域として形成されている。これらの左側の幅狭領域１０Ｎの前縁１４０Ｆと右側の幅狭領域１０Ｎの前縁１４０Ｆとが左右方向に距離を置いて設けられ、底部１０Ｂの後側でも二つの後縁１４０Ｂが左右方向に距離を置いて設けられている。
【００６３】
側面部２０が、図９に示すように、底部１０Ｂの周縁の内、前後に相対する幅狭領域１０Ｎの縁（前縁１４０Ｆ，後縁１４０Ｂ）を除いて、左領域１０Ｌと右領域１０Ｒ及び中間領域１０Ｍの縁から立ち上がっている。なお、図１０では、クロスハッチングを付した部分が側面部２０の領域を表している。
【００６４】
包装用容器４では、図９に示すように、左右の側面部２０と中間の側面部２０とが距離を置いて設けられていて、底部１０Ｂの前側で突出部３０が側面部２０をつなぐように設けられている。図１０では、シングルハッチングを付した部分が突出部３０の領域を表している。突出部３０は、側面部２０に隣接すると共に底部１０Ｂの幅狭領域１０Ｎの前縁１４０Ｆに隣接している。底部１０Ｂの後側でも、突出部３０が、前側と同様に、左右や中間の側面部２０をつなぐように設けられている。
【００６５】
各突出部３０は、高さを側面部２０と揃えて形成されていて、図８に示すように、破線で示す左領域１０Ｌの前側の側面部２０の上端部２１０を延ばした延長線上に設けられた上端部３１０を備えている。図８では上端部３１０を二点鎖線で表している。
【００６６】
図９のＡ１−Ａ１線とＡ２−Ａ２線とに沿った包装用容器４の断面の形状は、図６に示す第二実施形態の包装用容器２の断面形状と同様であり、底部１０Ｂは、例えば幅狭領域１０Ｎを前後に二等分する位置が底部１０Ｂで最も高い部分を構成する頂部１５１として形成されており、この頂部１５１より前側と後側が斜面部１５０として形成されている。なお、図９で横に延びた太い実線が、二つの斜面部１５０がつながって構成される頂部１５１を表している。頂部１５１は、左の突出部３０側から右の突出部３０側まで延びている。
【００６７】
各突出部３０は、幅狭領域１０Ｎの前縁１４０Ｆから上端部３１０までに亘る部分が容器内側へ突き出すように形成されていて、二つの曲面部３２０を備えている。
【００６８】
包装用容器４の突出部３０も、条件（１）〜（３）を満たして構成されることが望ましい。ここで、条件（１）では、図１０に示すように、前側又は後側に設けられる各側面部２０の左右方向に沿った寸法をＷ２１、Ｗ２３、Ｗ２２として、これらの和を側面部２０の長さＷ２（＝Ｗ２１＋Ｗ２３＋Ｗ２２）とする。また、前側又は後側に設けられる突出部３０の左右方向に沿った寸法をＷ３１、Ｗ３２として、これらの和を突出部３０の長さＷ３（＝Ｗ３１＋Ｗ３２）とする。
【００６９】
包装用容器４の底部１０Ｂでは、底部１０Ｂの周縁の内、突出部３０が設けられる『前後に相対する縁の一部』が、長手方向に距離を置いて二か所設けられているが、三箇所以上設けてもよい。このように三対以上の突出部３０を設ける場合においても、各突出部３０が条件（１）〜（３）を満たして構成されることが望ましい。なお、長手方向に並んだ各突出部３０は、異なる大きさや形に形成されてもよい。
【００７０】
包装用容器４によれば、第一実施形態の包装用容器１と同様に、底部１０Ｂに載置品として食料品或いはその他の物品を載せ、さらにそれらを包むようにラップを掛けることができ、また突出部３０が容器内側へ突き出ていることで、底部１０Ｂに載せた載置品に当たって、その動きを抑えることができる。例えば、包装用容器４では、肉のブロックや魚の冊などの円柱状の食材を底部１０Ｂの左側から右側に亘って載せると、前側と後側でそれぞれ離れて設けられた二つの突出部３０が食材の外周面に当たり或いは近接して配置される。
【００７１】
（第五実施形態）
図１２は本発明の第五実施形態の包装用容器５を示す斜視図である。図１３は包装用容器５の平面図であり、図１４は包装用容器５の各部の領域を示す平面図である。包装用容器５は、第一実施形態の包装用容器１と同様に、浅いトレー型に構成されているが、平面視での輪郭が左側と右側で縦に延びた縁と前側と後側で横に延びた縁とが同じ寸法に設定されて正方形型に形成されており、さらに一対の突出部３０が対向するように縦に並んでいることに加えて他の一対の突出部３０が横方向で対向するよう設けられている。
【００７２】
包装用容器５は、底部１０Ｃと、底部１０Ｃを囲うように設けられた側面部２０及び突出部３０と、側面部２０及び突出部３０から外側へ延びたフランジ部４０とから構成されている。
【００７３】
底部１０Ｃは平坦で縦と横へほぼ同じ長さに広がる正方形型の領域として形成されている。図１５は底部１０Ｃを示す平面図であり、この図１５に示すように底部１０Ｃは、中央に広がる中央領域１００と、そのまわりの外周領域１１０と、を備えている。図では、正方形の中央領域１００を、縦と横に延びた一点鎖線で示す境界線１００Ｆ，１００Ｂ，１００Ｌ，１００Ｒで囲って表している。
【００７４】
外周領域１１０は、側面部２０や突出部３０に隣接した領域である。図１５では、外周領域１１０の内、底部１０Ｃの前側の縁に隣接した領域（以下、前側領域Ａ１）を、三つに区切って表している。前側領域Ａ１は、左から順に、左領域１０Ｌ′、中間領域１０Ｍ′、右領域１０Ｒ′とを備えている。
【００７５】
左領域１０Ｌ′は、左右に延びた前縁１１０Ｆと、前縁１１０Ｆの左側の端から後方へ延びた左縁１１０Ｌと、中央領域１００の境界線１００Ｆ，１００Ｌを縦と横に延ばした延長線１００Ｅとで矩形型に形成されている。
右領域１０Ｒ′は、左領域１０Ｌ′と対称に形成されていて、左右に延びた前縁１２０Ｆと、前縁１２０Ｆの右側の端から後方へ延びた右縁１２０Ｒと、中央領域１００の境界線１００Ｆ，１００Ｒを縦と横に延ばした延長線１００Ｅとで矩形型に形成されている。中間領域１０Ｍ′は、前側で左右に延びた前縁１３０Ｆと、中央領域１００の前側の境界線１００Ｆとの間に形成された領域である。
【００７６】
左領域１０Ｌ′と右領域１０Ｒ′との前縁１１０Ｆ，１２０Ｆは、一本の仮想の線上で横に並ぶように前後の位置を揃えて設けられている。中間領域１０Ｍ′の前縁１３０Ｆは、中央側へずれて形成されていて、中間領域１０Ｍ′は、前後方向に沿った寸法を左領域１０Ｌ′及び右領域１０Ｒ′より短くした幅の狭い領域として形成されている。
【００７７】
図１５では、外周領域１１０の内、底部１０Ｃの後側の縁に隣接した領域（以下、後側領域Ａ２）を、太い実線で表している。後側領域Ａ２は、前側領域Ａ１を底部１０Ｃの中心（符号Ｃで示す点）のまわりに１８０度回転させた形に対応しており、前側領域Ａ１と同様に、三つに区切られて、左領域１０Ｌ′及び右領域１０Ｒ′，中間領域１０Ｍ′とから構成されている。図示例の後側領域Ａ２は、底部１０Ｃを前後に二等分する線を基準に、前側領域Ａ１と対称に形成されている。
【００７８】
前側領域Ａ１と後側領域Ａ２が、前後に並んでいて、前側の中間領域１０Ｍ′から後側の中間領域１０Ｍ′迄が、前後方向に沿った寸法を短く設定した領域として形成されている。
【００７９】
外周領域１１０の内、底部１０Ｃの左側と右側の縁にそれぞれ隣接した領域（以下、左側領域と右側領域）は、前後に距離を置いて設けられる前側領域Ａ１と後側領域Ａ２と同様に、底部１０Ｃの周縁の内、左側と右側で、左右に相対する一部が中央側へずらして形成されている。図示例では、左側領域と右側領域とは、前側領域Ａ１と後側領域Ａ２とを底部１０Ｃの中心Ｃのまわりに９０度回転させた形に対応している。
【００８０】
図１３で示す底部１０Ｃの中心Ｃは、底部１０Ｃで最も高い部分を構成する頂部１５１として構成されており、斜面部１５０が頂部１５１から前後と左右とに広がるように設けられている。図示例では斜面部１５０の領域を画するように中央領域１００を設けており、図１３に符号１５２で示す太い実線は各斜面部１５０がつながって形成される稜線部を表している。なお、中央領域１００の大きさを変えたり斜面部１５０を省略したりして底部１０Ｃを構成し、また縦と横の寸法を変えて中央領域１００や底部１０Ｃの輪郭を正方形型から他の矩形型などに構成してもよいし、さらに頂部１５１の位置を変えたり稜線部１５２が頂部１５１から縦と横に延びるように斜面部１５０を形成してもよい。
【００８１】
側面部２０が、図１３に示すように、底部１０Ｃの周縁の内、前後と左右に相対する縁（前縁１３０Ｆ，後縁１３０Ｂ）を除いて、左領域１０Ｌ′と右領域１０Ｒ′の縁から立ち上がっている。なお、図１４では、クロスハッチングを付した部分が側面部２０の領域を表している
【００８２】
包装用容器５では、図１３に示すように、底部１０Ｃの前側と後側では、第一実施形態の包装用容器１と同様に、左右の側面部２０が距離を置いて設けられていて、突出部３０がそれら左右の側面部２０をつなぐように設けられている。図１４では、シングルハッチングを付した部分が突出部３０の領域を表している。前側の突出部３０と後側の突出部３０とが、複数の曲面部３２０を内側に向けて、対向して設けられている。さらに、包装用容器５では、底部１０Ｃの左側と右側にそれぞれ突出部３０を設けており、これらの突出部３０も、左側の側面部２０の間をつなぎ、また右側の側面部２０の間をつないでおり、複数の曲面部３２０を内側に向けて、対向して設けられている。
【００８３】
各突出部３０は、高さを側面部２０と揃えて形成されている。図１２に示すように、各突出部３０は二点鎖線で示す上端部３１０を備えており、この上端部３１０が、破線で示す側面部２０の上端部２１０を延ばした延長線上に設けられている。
【００８４】
図１６は、図１３のＡ１−Ａ１線に沿った包装用容器５の断面の形状である。前側と後側の突出部３０は、図４に示す第一実施形態の包装用容器１の断面形状と同様に構成されており、中間領域１０Ｍ′の前縁１３０Ｆや後縁１３０Ｂから上端部３１０までに亘る部分が容器内側へ突き出すように形成されていて、二つの曲面部３２０を備えている。底部１０Ｃの左側と右側に設けられた突出部３０も、前側の突出部３０と同様に構成され、図１３のＡ２−Ａ２線に沿った包装用容器５の断面の形状はＡ１−Ａ１線に沿った断面形状と同様である。
【００８５】
包装用容器５の突出部３０も、条件（１）〜（３）を満たして構成されることが望ましい。ここで、条件（２）では、図１５に示すように、前側領域Ａ１の広い側（左領域１０Ｌ′と右領域１０Ｒ′）での前後方向に沿った寸法をＬ１とし、狭い側（中間領域１０Ｍ′）での寸法をＬ２とする。
【００８６】
包装用容器５によれば、第一実施形態の包装用容器１と同様に、底部１０Ｃに載置品として食料品或いはその他の物品を載せ、さらにそれらを包むようにラップを掛けることができ、また突出部３０が容器内側へ突き出ていることで、底部１０Ｃに載せた載置品に当たって、その動きを抑えることができる。例えば、包装用容器５では、円柱状の食材を底部１０Ｃにその軸を横方向に沿わせて載せると、底部１０Ｃの前側と後側に設けられた一対の突出部３０が食材の外周面に当たり或いは近接して配置されて、食材の転がりを規制する。また、他の一対の突出部３０が、対向するよう底部１０Ｃの左側と右側とに設けられていて、底部１０Ｃに載せた食材の左右への動きを規制することができるので、円柱状の食材に代えて、例えばみかん，りんごなどの球状の食材の転がりも防止することができる。
【００８７】
本発明の包装用容器は、ラップ掛け用に限らず、蓋を取り付けるように構成されたものでもよい。また底部の形状も、横長や正方形の矩形型に限らず、その他の形に構成されてもよい。また、突出部，曲面部，斜面部や頂部なども図示例の形状，寸法や位置に限定されるものではなく、例えば対向する二つの突出部は上記（１）〜（３）の条件を満たすように構成しつつ非対称に形成したり、突出部は曲面部に代えて容器内側へ張り出す角を備えたり、張り出した部分が斜面に形成されてもよい。包装用容器は、食料品に限らず、載置品として、木材その他の転がり易い円柱状或いは円筒状の物を包装する際に利用することができる。
【符号の説明】
【００８８】
１，２，３，４，５  包装用容器
１０，１０Ａ，１０Ｂ，１０Ｃ  底部
１０Ｌ，１０Ｌ′    左領域
１０Ｍ，１０Ｍ′    中間領域
１０Ｒ，１０Ｒ′    右領域
１１０Ｆ，１２０Ｆ，１３０Ｆ  前縁
１１０Ｂ，１２０Ｂ，１３０Ｂ  後縁
１１０Ｌ      左縁
１２０Ｒ      右縁
１３１Ｌ，１３１Ｒ  侵入縁
１３２        中央寄縁
２０          側面部
２１０，３１０，３１０Ａ  上端部
３０，３０Ａ  突出部
３２０        曲面部
３２１        入隅部
３５０        延長壁部
４０          フランジ部
４１０        頂部
４２０        突出縁部
５０          幅狭部
７０          搬送機構
【図１】
2017171391.tif 000003
【図２】
2017171391.tif 000004
【図３】
2017171391.tif 000005
【図４】
2017171391.tif 000006
【図５】
2017171391.tif 000007
【図６】
2017171391.tif 000008
【図７】
2017171391.tif 000009
【図８】
2017171391.tif 000010
【図９】
2017171391.tif 000011
【図１０】
2017171391.tif 000012
【図１１】
2017171391.tif 000013
【図１２】
2017171391.tif 000014
【図１３】
2017171391.tif 000015
【図１４】
2017171391.tif 000016
【図１５】
2017171391.tif 000017
【図１６】
2017171391.tif 000018
【図１７】
2017171391.tif 000019